(57)【要約】  【課題】  外部から取得して蓄積してある画像ファイルの漏洩を防止する画像処理装置を提供する。  【解決手段】  ＬＡＮを介して画像ファイルを要求するＰＣ２のユーザに対応して、蓄積部２１に蓄積してある画像ファイルについて、各種の処理を実行できる画像ファイルと、各画像ファイルに実行できる処理内容とを制限し、ユーザ情報ＤＢ２１ｂに記憶させておく。制御部１０は、ＬＡＮを介して画像ファイルを要求された場合に、画像ファイルを要求したユーザに対して許可されている各画像ファイル及び各処理内容をユーザ情報ＤＢ２１ｂに基づいて判断し、許可されている各画像ファイル及び各処理内容を選択できる画面を表示させるためのウェブページ２１ａをＰＣ２に提供する。ＰＣ２のユーザは、ＰＣ２が表示した表示画面の指示に従って、所望する画像ファイル及び該画像ファイルに行なうべき処理を選択することができる。【選択図】        図２
2005167616.tif 000002
【特許請求の範囲】
【請求項１】
画像データを記憶する画像記憶手段と、
画像データに対して行なうべき処理の実行指示を受け付ける受付手段と、
該受付手段が受け付けた実行指示に従った処理を、前記画像記憶手段に記憶させてある画像データに対して行なう処理手段と
を備える画像処理装置において、
前記受付手段は、
前記処理の実行指示を行なう指示者を識別する情報を受け付ける手段と、
該手段が受け付けた情報に基づいて、前記実行指示を受け付けるか否かを判断する手段と
を備えることを特徴とする画像処理装置。
【請求項２】
前記処理手段は、前記画像記憶手段に記憶させてある画像データの複製データを生成して前記画像記憶手段に記憶させる処理を行なう手段を備えており、
前記受付手段は、前記画像記憶手段に記憶させてある画像データ又は複製データに対して行なうべき処理の実行指示を受け付けるように構成されており、
前記処理手段は、前記受付手段が受け付けた実行指示に従った処理を、前記画像記憶手段に記憶させてある画像データ又は複製データに対して行なうように構成されていること
を特徴とする請求項１に記載の画像処理装置。
【請求項３】
前記画像記憶手段に記憶させてある複製データに、複製データである旨を示すデータを合成して合成データを生成する合成手段を備え、
前記処理手段は、前記受付手段が複製データに対して行なうべき処理の実行指示を受け付けた場合、前記受付手段が受け付けた実行指示に従った処理を、前記合成手段が生成した合成データに対して行なうように構成されていること
を特徴とする請求項２に記載の画像処理装置。
【発明の詳細な説明】
【技術分野】
【０００１】
本発明は、外部から受け付けた実行指示に従って、画像データに対して処理を行なう装置であって、処理の実行指示を行なう指示者に応じて、実行できる処理を制限する画像処理装置に関するものである。
【背景技術】
【０００２】
近年、画像処理装置として、記録用紙に記録された画像を走査して画像データを取り込み、取り込んだ画像データに基づく画像を形成して出力する複写機能、取り込んだ画像データを外部の装置へ送信する送信機能、ファクシミリ通信を用いて他のファクシミリ装置との間でデータを送受信するファクシミリ機能、及び通信線等を介して外部の装置から取得したデータを出力するプリンタ機能等、複数の機能を搭載したデジタル複合機（以下、ＭＦＰ：Multi Function Printerという）が普及している。このようなＭＦＰは、取り込んだ画像データ、及び外部の装置から取得したデータ等を記憶するハードディスク等の記憶手段を備えることにより、各機能の処理を並行して行なうことが可能に構成されている。
【０００３】
また、ＭＦＰにおいては、上述したように、取り込んだ画像データ、及び外部の装置から取得したデータ等を記憶手段に記憶させておき、記憶させてあるデータを必要に応じて記憶手段から読み出し、記録用紙に画像出力する、又は外部に接続されたコンピュータ等の装置へ送信する構成を採ることにより、画像データのファイルサーバ装置としての機能を持たせた装置もある。このようなＭＦＰを用いることにより、ユーザは、一度出力処理を行なった画像データの再利用が可能となり、文書または画像を必要なときにスムーズに出力することができると共に、文書または画像を複数のユーザ間において共用することが可能となる。なお、取り込んだ画像データを記憶部に記憶しておき、外部からの要求に応じて記憶部の画像データを外部へ提供する構成を備えたファクシミリ装置としては、以下の特許文献１に示すものがある。
【特許文献１】特開２００２−２１８１４１号公報
【発明の開示】
【発明が解決しようとする課題】
【０００４】
しかし、上述したような装置では、各ユーザは必要に応じて装置内に蓄積された画像データを再利用することができるため、画像データの不用意な漏洩を防止することができず、ＭＦＰにおけるセキュリティの向上を図ることが困難であるという問題がある。
【０００５】
本発明は斯かる事情に鑑みてなされたものであり、画像データに対して行なうべき処理の実行指示を行なう指示者に基づいて、当該実行指示を受け付けるか否かを判断し、受け付けた実行指示に従った処理を画像データに対して行なうことにより、各種の処理を実行できるか否かの権限を制限する画像処理装置を提供することを主たる目的とする。また、画像データの複製データを生成することができ、生成された複製データに対しても各種の処理を実行することが可能な画像処理装置を提供することを目的とする。更に、生成された複製データに対して各種の処理を実行する場合には、当該複製データに、複製データである旨を示すデータを合成することにより、複製データとオリジナルの画像データとを容易に識別させることが可能な画像処理装置を提供することを他の目的とする。
【課題を解決するための手段】
【０００６】
本発明に係る画像処理装置は、画像データを記憶する画像記憶手段と、画像データに対して行なうべき処理の実行指示を受け付ける受付手段と、該受付手段が受け付けた実行指示に従った処理を、前記画像記憶手段に記憶させてある画像データに対して行なう処理手段とを備える画像処理装置において、前記受付手段は、前記処理の実行指示を行なう指示者を識別する情報を受け付ける手段と、該手段が受け付けた情報に基づいて、前記実行指示を受け付けるか否かを判断する手段とを備えることを特徴とする。
【０００７】
本発明による場合は、画像データに対して行なうべき処理の実行指示を、該実行指示を行なう指示者を識別する情報と共に受付手段が受け付け、受け付けた指示者を識別する情報に基づいて、当該実行指示を受け付けるか否かを判断し、受け付けた実行指示に従った処理を、画像記憶手段に記憶させてある画像データに対して処理手段が行なう。
【０００８】
本発明に係る画像処理装置は、前記処理手段は、前記画像記憶手段に記憶させてある画像データの複製データを生成して前記画像記憶手段に記憶させる処理を行なう手段を備えており、前記受付手段は、前記画像記憶手段に記憶させてある画像データ又は複製データに対して行なうべき処理の実行指示を受け付けるように構成されており、前記処理手段は、前記受付手段が受け付けた実行指示に従った処理を、前記画像記憶手段に記憶させてある画像データ又は複製データに対して行なうように構成されていることを特徴とする。
【０００９】
本発明による場合は、処理手段が、画像記憶手段に記憶させてある画像データの複製データを生成して前記画像記憶手段に記憶させる処理を行なうように構成されており、画像記憶手段に記憶させてある画像データ又は複製データに対して行なうべき処理の実行指示を受付手段が受け付け、受け付けた実行指示に従った処理を、画像記憶手段に記憶させてある画像データ又は複製データに対して処理手段が行なう。
【００１０】
本発明に係る画像処理装置は、前記画像記憶手段に記憶させてある複製データに、複製データである旨を示すデータを合成して合成データを生成する合成手段を備え、前記処理手段は、前記受付手段が複製データに対して行なうべき処理の実行指示を受け付けた場合、前記受付手段が受け付けた実行指示に従った処理を、前記合成手段が生成した合成データに対して行なうように構成されていることを特徴とする。
【００１１】
本発明による場合は、画像記憶手段に記憶させてある複製データに対して行なうべき処理の実行指示を受付手段が受け付けた場合、当該複製データに、複製データである旨を示すデータを合成して生成された合成データに対して、受け付けた実行指示に従った処理を処理手段が行なう。
【発明の効果】
【００１２】
本発明によれば、画像データに対して行なうべき処理の実行指示を行なう指示者を識別する情報に基づいて、当該実行指示を受け付けるか否かを判断し、受け付けた実行指示に従った処理を画像データに対して行なうことにより、各種の処理を実行できるか否かの権限を制限することができる。また、画像データの複製データを生成することができ、生成された複製データに対しても各種の処理を実行することができる。更に、生成された複製データに対して各種の処理を実行する場合には、当該複製データに、複製データである旨を示すデータを合成することにより、例えば、複製データに基づく画像を記録用紙に画像出力した場合に、記録用紙に出力された画像データが、複製データであることを容易に認識することができる。
【発明を実施するための最良の形態】
【００１３】
以下に、本発明に係る画像処理装置をその実施の形態であるＭＦＰを示す図面に基づいて詳述する。図１は本発明に係る画像処理装置としてのＭＦＰを含むネットワーク構成例を示す模式図であり、図中１は本発明の画像処理装置であるＭＦＰを示している。
【００１４】
ＭＦＰ１は、ＬＡＮ（Local Area Network）を介して複数のコンピュータ（以下、ＰＣという）２，２と接続されている。また、ＭＦＰ１は、公衆電話交換網ＰＳＴＮを介して外部のＭＦＰ３及びファクシミリ装置４とも接続されている。なお、ＬＡＮには図示されている他にも多数のＰＣが接続されており、公衆電話交換網ＰＳＴＮには図示されている他にも多数のＭＦＰ及びファクシミリ装置が接続されていることは言うまでもない。従って、ＭＦＰ１は、ＬＡＮを介して複数のＰＣ２，２と、公衆電話交換網ＰＳＴＮを介して他のＭＦＰ３及びファクシミリ装置４と通信可能である。
【００１５】
図２は本発明に係るＭＦＰ１の内部構成例を示すブロック図であり、ＭＦＰ１は、ＣＰＵ（Central Processing Unit ）又はＭＰＵ（Micro Processor Unit）等で構成してある制御部１０を備えている。制御部１０は、バス２２を介して、ＲＯＭ１１、ＲＡＭ１２、ＮＣＵ（Network Control Unit）１３、モデム１４、読取部１５、画像メモリ１６、記録部１７、操作部１８、表示部１９、ＬＡＮに接続するためのＬＡＮインタフェース２０、蓄積部２１等と接続されている。
【００１６】
制御部１０は、上述したようなハードウェア各部を制御すると共に、ＲＯＭ１１に予め格納されている制御プログラムに従って、種々のソフトウェア的機能を実現する。ＲＯＭ１１は、本発明の画像処理装置としての動作に必要な種々の制御プログラムを記憶している。また、ＲＡＭ１２は、ＳＲＡＭ又はフラッシュメモリ等で構成されており、制御部１０による制御プログラムの実行時に発生するデータを一時的に記憶する。
【００１７】
モデム１４は、ファクシミリ通信が可能なファックスモデムで構成されており、ＮＣＵ１３とも直接的に接続されている。ＮＣＵ１３は、公衆電話交換網ＰＳＴＮと接続されており、必要に応じてモデム１４を公衆電話交換網ＰＳＴＮと接続し、公衆電話交換網ＰＳＴＮを介して外部のＭＦＰ３及びファクシミリ装置４との間でのファクシミリ通信を可能としている。
【００１８】
読取部１５は、ＣＣＤ(Charge Coupled Device)を利用したスキャナで構成されており、原稿を読み取ることにより画像データを取得し、取得した画像データを画像メモリ１６に記憶させる。画像メモリ１６は、ＤＲＡＭにより構成されており、モデム１４及びＮＣＵ１３を介したファクシミリ通信により受信した画像データ、及び読取部１５により読み取った画像データを一時的に記憶する。
【００１９】
記録部１７は、例えば電子写真方式のプリンタ装置であって、画像メモリ１６に記憶させてある画像データに基づく画像を、ハードコピーとしてＡ３縦，Ｂ４縦，Ａ４縦，Ｂ５横及びＡ５横等の各サイズの記録紙又はＯＨＰ(Over Head Projector) シート等から最適なサイズのものを選択して記録する。
【００２０】
操作部１８は、ＭＦＰ１を操作するために必要なテンキー、短縮ダイヤルキー及び各種のファンクションキー等を備えている。表示部１９は、液晶ディスプレイ（ＬＣＤ）等の表示装置であり、ＭＦＰ１の動作状態、操作部１８から入力された文字、ユーザに通知すべき情報等の表示を行なう。
【００２１】
上述した構成により、ＭＦＰ１は、図示しない所定の原稿載置台にユーザにより載置された原稿を読取部１５により読み取り、得られた画像データをＮＣＵ１３及びモデム１４を介して公衆電話回線網ＰＳＴＮに接続してある他のＭＦＰ３及びファクシミリ装置４へ送信し、また、外部のＭＦＰ３及びファクシミリ装置４がファクシミリ通信にて送信した画像データを、公衆電話回線網ＰＳＴＮを介して受信するファクシミリ装置として機能する。
【００２２】
また、ＭＦＰ１は、読取部１５により原稿を読み取り、得られた画像データに基づく画像を記録部１７で記録用紙に複写する複写装置としても機能し、ＬＡＮインタフェース２０を介してＬＡＮに接続してあるＰＣ２，２から受信したデータに基づく画像を記録部１７で記録用紙に記録するネットワークプリンタとしても機能する。更に、ＭＦＰ１は、読取部１５により原稿を読み取り、得られた画像データをＬＡＮインタフェース２０を介してＬＡＮに接続してあるＰＣ２，２へ送信するネットワークスキャナとしても機能する。
【００２３】
ここで、ＭＦＰ１は、記憶容量の大きいハードディスク又はフラッシュメモリ等からなる蓄積部２１を備えており、上述したように、ファクシミリ通信により外部から受信した画像データ、読取部１５により原稿から読み取った画像データ、及びＬＡＮを介して外部のＰＣ２，２から受信した画像データを適宜蓄積部２１に記憶させて各種の処理を並行して行なっている。また、ＭＦＰ１は、上述したような各種の画像データを、ユーザが再利用できるように画像ファイルとして蓄積部（画像記憶手段）２１に蓄積させておくことにより、画像データのファイルサーバ装置としても機能する。
【００２４】
ＭＦＰ１は、蓄積部２１にウェブサーバ装置としての動作に必要な制御プログラムであるウェブサーバプログラム、上述したような各機能により取得した画像ファイルへのリンクを設定した複数のウェブページ２１ａ等を記憶させており、蓄積部２１に記憶させてある画像ファイルをウェブページ２１ａ上からＰＣ２，２に提供するウェブサーバ装置としても動作する。
【００２５】
従って、ウェブブラウザを備えたＰＣ２において、図示しないＣＰＵがウェブブラウザを立ち上げて、ＭＦＰ１により提供されるウェブページ２１ａを指定した場合、ＭＦＰ１の制御部１０は、蓄積部２１に記憶させてある画像ファイルをＰＣ２へ提供する。これにより、ＰＣ２におけるユーザは、ＬＡＮを介してＭＦＰ１から所望の画像ファイルを取得して閲覧することができる。
【００２６】
図３及び図４は本発明に係るＭＦＰ１が提供するウェブページ２１ａの画面構成例を示す模式図であり、図３は、ＬＡＮを介してＭＦＰ１からウェブページ２１ａを提供されるＰＣ２において、ユーザがログイン画面（図示せず）に従って、例えばユーザＩＤ及びパスワード等を入力してログインした場合に提供される初期画面の構成例を示している。
【００２７】
ＭＦＰ１は、各種の処理により取得した画像データを、それぞれの送信者又は送信先等に基づいて、夫々蓄積部２１に設けられた共有フォルダ又は個人フォルダに画像ファイルとして記憶させている。共有フォルダには、掲示板フォルダ、送信フォルダ及び処理済フォルダが設けられており、個人フォルダには、受信フォルダ、送信フォルダ及び保存フォルダが設けられている。従って、ＰＣ２に表示される画面には、図３に示すように、夫々のフォルダ内の画像ファイルを閲覧する際に用いるために、共有フォルダの選択ボタンとしての掲示板ボタン３０ａ、送信ボックスボタン３０ｂ及び処理済ボックスボタン３０ｃと、個人フォルダの選択ボタンとしての受信ボックスボタン３１ａ、送信ボックスボタン３１ｂ及び保存ボックスボタン３１ｃとが表示される。
【００２８】
なお、図３に示すように、初期画面は、共有フォルダの掲示板ボタン３０ａが選択された場合の表示画面であり、上述した各ボタン３０ａ，３０ｂ…３１ｂ，３１ｃと、掲示板画面３２とを表示する。掲示板画面３２は、現在ログイン中のユーザＩＤ及び当該掲示板画面３２における最終更新時間等を表示すると共に、掲示板上での閲覧が可能に設定された各画像ファイルのファイル情報一覧３２ａを表示する。
【００２９】
ファイル情報一覧３２ａには、各画像ファイルの件名（ファイル名）、ページ数、送信元及び受信日時等が表示されている。ＰＣ２のユーザは各ファイル情報の先頭位置に表示してあるチェックボックスを選択することにより、ＬＡＮを介してＭＦＰ１から、選択した画像ファイルの提供を受けることができる。また、ＭＦＰ１から画像ファイルを提供されたＰＣ２は、掲示板画面３２の下部に画像表示画面３３として画像ファイルを表示させる。これにより、ユーザは、所望の画像ファイルを掲示板上で閲覧することができる。なお、ＭＦＰ１は、上述したような画像ファイルに関するファイル情報を、共有フォルダの掲示板フォルダ、送信フォルダ及び処理済フォルダ、個人フォルダの受信フォルダ、送信フォルダ及び保存フォルダの夫々に対応して、蓄積部２１に設定されたファイル情報ＤＢの所定領域に記憶させている。
【００３０】
また、掲示板画面３２は、上述したようなファイル情報一覧３２ａから選択した画像ファイルに対して行なうべき処理を選択するためのプルダウンメニュー３２ｂ及び選択した処理の実行を指示するための実行ボタン３２ｃを表示する。なお、プルダウンメニュー３２ｂは、「送信する」、「コピーする」、「移動する」、「プリントする」、「削除する」等の各処理を選択できるように構成されている。
【００３１】
このような掲示板画面３２に従って、ＰＣ２のユーザが、所望の画像ファイルを選択し、プルダウンメニュー３２ｂにて所望の処理を選択し、実行ボタン３２ｃをオンした場合、ＰＣ２のＣＰＵは、選択された処理に応じた信号を、ＰＣ２のユーザを示すユーザＩＤと共にＬＡＮを介してＭＦＰ１へ送信する。ＭＦＰ１の制御部１０は、ＰＣ２が送信した信号及びユーザＩＤを受信することにより、ＰＣ２のユーザにより選択された画像ファイルに対して行なうべき処理の実行指示、及びこの実行指示を行なったユーザ（指示者）のユーザＩＤ（指示者を識別する情報）を受け付ける受付手段として動作する。また、制御部１０は、ＰＣ２から受信した信号に従った処理を行なう処理手段として動作する。
【００３２】
具体的には、ＰＣ２のユーザが、掲示板画面３２に従って、所望の画像ファイルを選択し、プルダウンメニュー３２ｂにて「送信する」を選択した場合、ＭＦＰ１の制御部１０は、選択された画像ファイルをファクシミリ通信又はＬＡＮを介したデータ通信により、設定された送信先へ送信する送信処理を行なう。
【００３３】
また、ＰＣ２のユーザが、掲示板画面３２に従って、所望の画像ファイルを選択し、プルダウンメニュー３２ｂ中の「コピーする」を選択した場合、ＭＦＰ１の制御部１０は、選択された画像ファイルを設定されたフォルダにコピーするコピー処理を行なう。尚、制御部１０は、ユーザからの指示に従ってコピー処理を行なった場合、ＭＦＰ１においてファクシミリ通信又は読取部１５により取得したオリジナルの画像ファイルとの識別を容易にするため、生成した複製データの件名に、識別子として例えばｃｐを付加しておく。
【００３４】
同様にＰＣ２のユーザが「移動する」を選択した場合、ＭＦＰ１の制御部１０は、選択された画像ファイルを設定されたフォルダに移動させる移動処理を行なう。また、ＰＣ２のユーザが「プリントする」を選択した場合、ＭＦＰ１の制御部１０は、選択された画像ファイルを蓄積部２１から画像メモリ１６に読み出し、読み出した画像データを記録部１７に与え、記録部１７により記録用紙に記録させるプリント処理を行なう。更に、ユーザが「削除する」を選択した場合、ＭＦＰ１の制御部１０は、選択された画像ファイルを蓄積部２１から削除する削除処理を行なう。
【００３５】
ここで、ＭＦＰ１は、蓄積部２１に設定された個人フォルダ内の受信フォルダ、送信フォルダ又は保存フォルダに、例えば、予め設定された送信者から送信された画像ファイル、当該個人フォルダの所有者であるユーザがＭＦＰ１を用いて送信した画像ファイル、当該ユーザにより保存しておくように設定された画像ファイル等を夫々記憶させてある。従って、ＰＣ２において、ユーザが掲示板ボタン３０ａ以外のボタン３０ｂ，３０ｃ，３１ａ，３１ｂ，３１ｃの夫々を選択した場合も、図３に示すような画面が表示されるが、個人フォルダの各ボタン３１ａ，３１ｂ，３１ｃを選択した場合には、ログインした際のユーザＩＤに対応した画像ファイルに関するファイル情報一覧３２ａが表示される。従って、ＰＣ２のユーザは、ボタン３０ｂ，３０ｃ，３１ａ，３１ｂ，３１ｃの夫々を選択した場合に表示される各ファイル情報一覧３２ａに従って、蓄積部２１に記憶させてある画像ファイルを適宜読み出し、各種の処理を行なうことができる。
【００３６】
図４は受信ボックスボタン３１ａが選択された場合に、ＭＦＰ１から提供されるウェブページ２１ａに基づいてＰＣ２が表示する画面の構成例を示している。図４に示すように、受信ボックス画面３４は、当該ユーザの個人フォルダ内の受信フォルダに格納された画像ファイルのファイル情報一覧３４ａを表示すると共に、図３に示す掲示板画面３２と同様に、ファイル情報一覧３４ａから選択した画像ファイルに対して行なうべき処理を選択するためのプルダウンメニュー３４ｂ及び選択した処理の実行を指示するための実行ボタン３４ｃを表示する。なお、受信ボックス画面３４のプルダウンメニュー３４ｂは、「送信する」、「コピーする」、「移動する」、「プリントする」、「削除する」の他、「掲示板に登録する」を選択できるように構成されている。
【００３７】
従って、掲示板画面３２（図３参照）と同様に、受信ボックス画面３４において、ＰＣ２のユーザは各ファイル情報の先頭位置に表示してあるチェックボックスを選択することにより、ＬＡＮを介してＭＦＰ１から所望する画像ファイルの提供を受けることができる。また、受信ボックス画面３４に従って、ＰＣ２のユーザが、所望の画像ファイルを選択し、プルダウンメニュー３４ｂにて「掲示板に登録する」を選択した場合、ＭＦＰ１の制御部１０は、選択された画像ファイルを、共有フォルダの掲示板ボタン３０ａを選択した場合に表示される掲示板画面３２（図３参照）から閲覧できるように設定する。具体的には、ＭＦＰ１の制御部１０は、ＰＣ２において選択された画像ファイルに関するファイル情報を、掲示板ボタン３０ａを選択した場合に表示される掲示板画面３２のファイル情報一覧３２ａに追加する。
【００３８】
ここで、本実施の形態のＭＦＰ１は、ＲＯＭ１１に合成処理プログラムを予め記憶しており、ＰＣ２から要求された画像ファイルが複製データである場合に、制御部１０が、ＲＯＭ１１に記憶してある合成処理プログラムを実行し、蓄積部２１から読み出した複製データの画像ファイルに、複製データである旨を示すデータを合成する合成手段として動作する。
【００３９】
従って、上述したような合成処理を施された画像ファイルをＭＦＰ１から提供されたＰＣ２は、受信ボックス画面３４の下部に、複製データである旨を示すデータ３３ａを表示した画像表示画面３３を表示させる。これにより、ユーザは、所望の画像ファイルを掲示板上で閲覧することができると共に、閲覧している画像ファイルが複製データであることを容易に認識することができる。なお、複製データに合成する、複製データである旨を示すデータ３３ａとしては、図４に示すデータに限られず、画像ファイルのヘッダー情報として合成することもできる。
【００４０】
また、本実施の形態のＭＦＰ１は、上述したような掲示板画面３２（図３参照）又は個人フォルダの受信ボックス画面３４（図４参照）等に表示されるプルダウンメニュー３２ｂ，３４ｂにより選択できる各処理を、図中のＩＤで示すユーザに基づいて制限している。例えば、各ユーザ毎に、オリジナルデータに対して行なうべき送信処理、コピー処理、移動処理、プリント処理、削除処理及び登録処理の実行、及び複製データに対して行なうべき送信処理、コピー処理、移動処理、プリント処理、削除処理及び登録処理の実行の夫々を許可するか否かが設定されており、これらの情報は蓄積部２１のユーザ情報ＤＢ２１ｂの所定領域に格納されている。
【００４１】
図５はユーザ情報ＤＢ２１ｂの登録内容の構成例を示す模式図である。ユーザ情報ＤＢ２１ｂには、夫々のユーザのユーザ名及びユーザＩＤに対応して、オリジナルデータに対して行なうことが可能な送信処理、コピー処理、移動処理、プリント処理、削除処理及び登録処理の実行の許可又は不可、複製データに対して行なうことが可能な送信処理、コピー処理、移動処理、プリント処理、削除処理及び登録処理の実行の許可又は不可等が登録されている。
【００４２】
従って、ＭＦＰ１の制御部１０は、ＰＣ２に表示された画面中の共有フォルダの掲示板ボタン３０ａ、送信ボックスボタン３０ｂ、処理済ボックスボタン３０ｃ、又は個人フォルダの受信ボックスボタン３１ａ、送信ボックスボタン３１ｂ、保存ボックスボタン３１ｃの夫々が選択されてウェブページ２１ａを要求された場合、ウェブページ２１ａを要求したユーザＩＤに基づいて、当該ユーザにより実行指示が可能な処理を蓄積部２１のユーザ情報ＤＢ２１ｂから判断し、ＰＣ２へ提供するウェブページ２１ａを変更する。具体的には、このウェブページ２１ａに基づいて表示する掲示板画面３２、送信ボックス画面、処理済ボックス画面、受信ボックス画面３４、送信ボックス画面、保存ボックス画面において、ファイル情報一覧３２ａ，３４ａ及びプルダウンメニュー３２ｂ，３４ｂから選択できる画像ファイル及び処理内容を変更する。
【００４３】
例えば、図５に示すように、ユーザＩＤが３３３のユーザ３は、複製データに対して行なう送信処理、コピー処理、移動処理、プリント処理、削除処理及び登録処理の実行は許可されているが、オリジナルデータに対して行なう送信処理、コピー処理、移動処理、プリント処理、削除処理及び登録処理の実行は許可されていない。従って、ＭＦＰ１の制御部１０は、図４中のファイル情報一覧３４ａにおいて、件名がファクス文書１２及びスキャン文書９で示すオリジナルデータを選択するためのチェックボックスを表示させないウェブページ２１ａをＰＣ２に提供することにより、ＰＣ２におけるユーザ３が、件名がファクス文書１２及びスキャン文書９で示すオリジナルデータに対する処理の実行を指示できないようにしてある。なお、プルダウンメニュー３２ｂ，３４ｂにおける各処理を表示させないことにより、各処理をユーザ３が選択できないようにすることもできる。
【００４４】
以下に、上述した構成のＭＦＰ１において、蓄積部２１に記憶してある画像ファイルをＬＡＮを介してＰＣ２，２に提供する提供処理について説明する。図６は本発明に係るＭＦＰ１が画像ファイルを提供する提供処理手順を示すフローチャートである。ＭＦＰ１の蓄積部２１に記憶させてある画像ファイルをＬＡＮを介して閲覧したいユーザは、ＰＣ２の図示しない操作部に所定の操作を行なってＰＣ２のＣＰＵにウェブブラウザを実行させる。これにより、ＰＣ２のＣＰＵは所定のウェブページ２１ａをＭＦＰ１に要求する（Ｓ１）。
【００４５】
ＭＦＰ１の制御部１０は、ＰＣ２からの要求に基づいて、ＰＣ２におけるユーザがログインの際に用いたユーザＩＤと、蓄積部２１のユーザ情報ＤＢ２１ｂとから、当該ユーザによる処理の実行が許可された画像ファイル及び処理内容を判断し、判断した結果に基づいたウェブページ２１ａを提供する（Ｓ２）。ＰＣ２は、ＭＦＰ１から取得したウェブページ２１ａに基づいて、図３に示すような初期画面を表示する（Ｓ３）。なお、表示される掲示板画面３２中のファイル情報一覧３２ａにおける各画像ファイルを選択する際のチェックボックスは、当該ユーザにおいて許可されている画像ファイルについてのみ表示され、プルダウンメニュー３２ｂにより選択できる処理は、当該ユーザにおいて許可されている処理についてのみ表示される。
【００４６】
ＰＣ２のユーザは、表示された初期画面の指示に従って閲覧したい画像ファイルを選択すべく、ファイル情報一覧３２ａ中のチェックボックスをチェックする。ＰＣ２のＣＰＵは、ユーザによりチェックボックスがチェックされることにより画像ファイルが選択されたか否かを判断しており（Ｓ４）、画像ファイルが選択されていないと判断した場合（Ｓ４：ＮＯ）、掲示板に登録された画像ファイルの閲覧処理を行なわずに終了する。
【００４７】
ＰＣ２のＣＰＵは、画像ファイルが選択されたと判断した場合（Ｓ４：ＹＥＳ）、選択された画像ファイルをＭＦＰ１に要求し（Ｓ５）、ＭＦＰ１の制御部１０は、要求された画像ファイルが複製データであるか否かを判断する（Ｓ６）。ここで、ＭＦＰ１の制御部１０は、複製データを要求されたと判断した場合（Ｓ６：ＹＥＳ）、ＲＯＭ１１の合成処理プログラムをＲＡＭ１２に読み出して実行し（Ｓ７）、蓄積部２１から読み出した画像ファイルに、複製データである旨を示すデータを合成し、得られた画像ファイルをＰＣ２に提供する（Ｓ８）。なお、制御部１０は、複製データを要求されていないと判断した場合（Ｓ６：ＮＯ）、即ち、オリジナルデータである画像ファイルを要求された場合、蓄積部２１から読み出した画像ファイルをそのままＰＣ２に提供する（Ｓ８）。
【００４８】
ＰＣ２は、ＭＦＰ１から受信した画像ファイルに基づいて、画像表示画面３３を表示する（Ｓ９）。画像表示画面３３が表示されたＰＣ２において、ユーザは、表示された画像ファイルを確認し、所望の処理をプルダウンメニュー３２ｂから選択して実行ボタン３２ｃをオンする。ＰＣ２のＣＰＵは、ユーザにより実行ボタン３２ｃがオンされたか否かを判断しており（Ｓ１０）、実行ボタン３２ｃがオンされていないと判断した場合（Ｓ１０：ＮＯ）、選択した画像ファイルに対する各種の処理の実行を行なわずに閲覧処理を終了する。
【００４９】
ＰＣ２のＣＰＵは、実行ボタン３２ｃがオンされたと判断した場合（Ｓ１０：ＹＥＳ）、プルダウンメニュー３２ｂから選択された処理に応じた信号をＭＦＰ１へ送信し（Ｓ１１）、ＭＦＰ１の制御部１０は、ＰＣ２から受信した信号に対応する処理を実行する（Ｓ１２）。具体的には、制御部１０は、ＰＣ２のユーザにより選択された画像ファイルを、設定された送信先へ送信する送信処理、設定されたフォルダにコピーするコピー処理、設定されたフォルダに移動させる移動処理、記録部１７により記録用紙に記録させるプリント処理、蓄積部２１から削除する削除処理等を行なう。
【００５０】
上述したように、ＭＦＰ１が提供する画像ファイルを再利用する夫々のユーザにおいて、各種の処理を実行することができる画像ファイル、及び各画像ファイルに実行できる処理を制限することにより、各種の処理により取得して蓄積部２１に蓄積してある画像ファイルの不用意な漏洩を防止することができる。また、ＭＦＰ１における制御部１０が、ＬＡＮを介してＰＣ２から要求された画像ファイルが複製データである場合に、複製データである旨を示すデータを合成することにより、この画像ファイルを閲覧するＰＣ２のユーザは、自身が閲覧している画像ファイルが複製データであるか否かを容易に識別することができる。
【図面の簡単な説明】
【００５１】
【図１】本発明に係る画像処理装置としてのＭＦＰを含むネットワーク構成例を示す模式図である。
【図２】本発明に係るＭＦＰの内部構成例を示すブロック図である。
【図３】本発明に係るＭＦＰが提供するウェブページの画面構成例を示す模式図である。
【図４】本発明に係るＭＦＰが提供するウェブページの画面構成例を示す模式図である。
【図５】ユーザ情報ＤＢの登録内容の構成例を示す模式図である。
【図６】本発明に係るＭＦＰが画像ファイルを提供する提供処理手順を示すフローチャートである。
【符号の説明】
【００５２】
１  ＭＦＰ（画像処理装置）
１０  制御部（受付手段、処理手段、合成手段）
２１  蓄積部（画像記憶手段）
【図１】
2005167616.tif 000003
【図２】
2005167616.tif 000004
【図３】
2005167616.tif 000005
【図４】
2005167616.tif 000006
【図５】
2005167616.tif 000007
【図６】
2005167616.tif 000008